(57)【特許請求の範囲】
【請求項１】
磁気ストライプを有するカードが挿入されるカードリーダ用のカード挿入部において、
前記カードの挿入時に前記磁気ストライプが通過する箇所に少なくとも形成される切欠部と、前記カードの挿入方向に略直交する前記カードの幅方向において前記切欠部と隣り合うとともに前記カードの挿入方向の上流側に向かって突出する突出部と、前記突出部の内部に配置され磁界を発生させる磁界発生装置とを備え、
前記磁界発生装置は、磁性材料で形成されるコアと、前記コアに巻回されるコイルとを備えるとともに、前記磁界発生装置が発生させる磁界を表わす磁力線が前記カードの挿入時に前記磁気ストライプが通過する位置を通過するように、かつ、前記磁力線の前記コアの端面から出ていく方向および／または前記磁力線の前記コアの端面に入っていく方向が前記カードの挿入方向に対して傾斜するように配置されていることを特徴とするカード挿入部。
【請求項２】
前記磁界発生装置は、前記カードの挿入方向と前記カードの幅方向とに略直交する前記カードの厚さ方向から見たときに、前記磁力線の前記コアの端面の中心から出ていく方向および／または前記磁力線の前記コアの端面の中心に入っていく方向が前記カードの幅方向と略平行になるように配置されていることを特徴とする請求項１記載のカード挿入部。
【請求項３】
前記コアは、前記カードの挿入方向と前記カードの幅方向とに略直交する前記カードの厚さ方向から見たときに、前記カードの幅方向を中心軸の方向として配置され、
前記コイルは、前記コアの前記中心軸を中心に巻回されていることを特徴とする請求項１または２記載のカード挿入部。
【請求項４】
前記磁界発生装置は、前記カード挿入部の前面側に取り付けられるスキミング用磁気ヘッドによる前記磁気ストライプに記録された磁気データの読取を妨害するための妨害磁界を発生させることを特徴とする請求項３記載のカード挿入部。
【請求項５】
前記磁界発生装置の一部は、前記カードの挿入方向において、前記切欠部の、前記カードの挿入方向における下流側端面よりも下流側に配置されていることを特徴とする請求項４記載のカード挿入部。
【請求項６】
前記コアの前記中心軸は、前記カードの挿入方向において、前記切欠部の、前記カードの挿入方向における下流側端面と同じ位置、または、前記切欠部の前記下流側端面よりも下流側に配置されていることを特徴とする請求項４または５記載のカード挿入部。
【請求項７】
前記磁界発生装置は、前記コイルに電流を供給するためのケーブルを備え、
前記ケーブルは、前記切欠部の前記下流側端面の近傍で引き回されていることを特徴とする請求項５または６記載のカード挿入部。
【請求項８】
請求項１から７のいずれかに記載のカード挿入部と、前記磁気ストライプに記録された磁気データを読み取る磁気ヘッドとを備えることを特徴とするカードリーダ。
【発明の詳細な説明】
【技術分野】
【０００１】
本発明は、磁気ストライプを有するカードが挿入されるカードリーダ用のカード挿入部、および、このカード挿入部を備えるカードリーダに関する。
【背景技術】
【０００２】
従来、カードに記録された磁気データの読取やカードへの磁気データの記録を行うカードリーダが広く利用されている。カードリーダが利用される金融機関等の業界では、従来、犯罪者がカードリーダのカード挿入部に磁気ヘッドを取り付けて、この磁気ヘッドでカードの磁気データを不正に取得するいわゆるスキミングが大きな問題となっている。そこで、スキミング用の磁気ヘッド（以下、「スキミング用磁気ヘッド」とする。）での磁気データの読取を阻止するための妨害磁界発生器を備えるカードリーダが提案されている（たとえば、特許文献１参照）。
【０００３】
特許文献１に記載のカードリーダでは、カードリーダにカードが挿入されるカード挿入時に妨害磁界発生器が所定時間、駆動して、妨害磁界を発生させる。そのため、スキミング用磁気ヘッドがカード挿入部に取り付けられていても、スキミング用磁気ヘッドによる磁気データの適切な読取を阻止して、磁気データの不正取得を防止することが可能になる。
【先行技術文献】
【特許文献】
【０００４】
【特許文献１】特許第３９３６４９６号公報
【発明の概要】
【発明が解決しようとする課題】
【０００５】
特許文献１に記載のカードリーダは、妨害磁界発生器を備えているため、上述のように、スキミング用磁気ヘッドによる磁気データの読取を阻止することが可能である。しかしながら、このカードリーダの場合、妨害磁界発生器が発生させる磁界が、カードリーダの内部に配置されるデータ読取用の磁気ヘッドでの磁気データの読取に影響を及ぼすおそれがある。かかるおそれを低減させるためには、妨害磁界発生器が発生させる妨害磁界を弱める、あるいは、データ読取用の磁気ヘッドでの磁気データの読取時に妨害磁界の発生を停止させる等の方策が考えられるが、このようにすると、スキミング用磁気ヘッドによる磁気データの読取を阻止できなくなるおそれがある。
【０００６】
そこで、本発明の課題は、スキミング用磁気ヘッドによる磁気データの読取を阻止するために磁界発生装置が発生させる磁界を弱めたり、カードリーダの内部に配置されるデータ読取用の磁気ヘッドでの磁気データの読取時に磁界の発生を停止させたりしなくても、磁界発生装置が発生させる磁界がデータ読取用の磁気ヘッドでの磁気データの読取に及ぼす影響を低減することが可能なカードリーダ用のカード挿入部を提供することにある。また、本発明の課題は、かかるカード挿入部を備えるカードリーダを提供することにある。
【課題を解決するための手段】
【０００７】
上記の課題を解決するため、本発明のカード挿入部は、磁気ストライプを有するカードが挿入されるカードリーダ用のカード挿入部において、カードの挿入時に磁気ストライプが通過する箇所に少なくとも形成される切欠部と、カードの挿入方向に略直交するカードの幅方向において切欠部と隣り合うとともにカードの挿入方向の上流側に向かって突出する突出部と、突出部の内部に配置され磁界を発生させる磁界発生装置とを備え、磁界発生装置は、磁性材料で形成されるコアと、コアに巻回されるコイルとを備えるとともに、磁界発生装置が発生させる磁界を表わす磁力線がカードの挿入時に磁気ストライプが通過する位置を通過するように、かつ、磁力線のコアの端面から出ていく方向および／または磁力線のコアの端面に入っていく方向がカードの挿入方向に対して傾斜するように配置されていることを特徴とする。
【０００８】
本発明のカード挿入部では、磁界発生装置は、磁界発生装置が発生させる磁力線がカードの挿入時に磁気ストライプが通過する位置を通過するように配置されている。スキミング用磁気ヘッドは、磁気ストライプが通過する位置に取り付けられるため、本発明では、たとえば、磁界発生装置が発生させる磁界を利用して、スキミング用磁気ヘッドによる磁気データの読取を阻止したり、カード挿入部の前面側にスキミング用磁気ヘッドが取り付けられたことを検知することが可能になる。
【０００９】
また、本発明では、磁界発生装置は、磁力線のコアの端面から出ていく方向および／または磁力線のコアの端面に入っていく方向がカードの挿入方向に対して傾斜するように配置されている。そのため、カードの挿入方向の下流側でカードリーダの内部に配置されるデータ読取用の磁気ヘッドに磁界発生装置で発生する磁界の影響が及びにくくなる。したがって、磁界発生装置が発生させる磁界を弱めたり、データ読取用の磁気ヘッドでの磁気データの読取時に磁界の発生を停止させたりしなくても、磁界発生装置が発生させる磁界がデータ読取用の磁気ヘッドでの磁気データの読取に及ぼす影響を低減することが可能になる。
【００１０】
また、本発明では、切欠部が、カードの挿入時に磁気ストライプが通過する箇所に形成されているため、犯罪者は、この切欠部にスキミング用磁気ヘッドを取り付けやすくなる。すなわち、スキミング用磁気ヘッドの取付位置を特定しやすくなる。したがって、本発明では、スキミング用磁気ヘッドでの磁気データの読取を阻止するための磁界をスキミング用磁気ヘッドに向けて発生させやすくなり、また、スキミング用磁気ヘッドがカード挿入部の前面側に取り付けられたことを検知しやすくなる。
【００１１】
また、本発明では、切欠部にカードの一部を露出させるとともに切欠部に露出するカードの一部をユーザが摘んでカード挿入部から引き抜くための切欠部を形成するために必要となる突出部の内部に磁界発生装置が配置されている。そのため、デッドスペースとなりやすい突出部の内部を利用して、磁界発生装置を配置することができる。したがって、本発明では、磁界発生装置を配置するためのスペースを別途、カード挿入部に設ける必要がなくなり、カード挿入部を小型化することが可能になる。
【００１２】
なお、本発明において、「磁力線のコアの端面から出ていく方向および／または磁力線のコアの端面に入っていく方向がカードの挿入方向に対して傾斜する」とは、磁力線のコアの端面から出ていく方向および／または磁力線のコアの端面に入っていく方向がカードの挿入方向に対して平行ではなく、磁力線のコアの端面から出ていく方向および／または磁力線のコアの端面に入っていく方向がカードの挿入方向と交わるようにカードの挿入方向に対して傾いていることを意味する。磁力線のコアの端面から出ていく方向および／または磁力線のコアの端面に入っていく方向がカードの挿入方向に対して傾斜する場合には、磁力線のコアの端面から出ていく方向および／または磁力線のコアの端面に入っていく方向がカードの幅方向と略平行になっている場合も含まれる。
【００１３】
本発明において、磁界発生装置は、カードの挿入方向とカードの幅方向とに略直交するカードの厚さ方向から見たときに、磁力線のコアの端面の中心から出ていく方向および／または磁力線のコアの端面の中心に入っていく方向がカードの幅方向と略平行になるように配置されていることが好ましい。すなわち、本発明において、たとえば、コアは、カードの挿入方向とカードの幅方向とに略直交するカードの厚さ方向から見たときに、カードの幅方向を中心軸の方向として配置され、コイルは、コアの中心軸を中心に巻回されていることが好ましい。このように構成すると、カードの挿入方向におけるデータ読取用の磁気ヘッドと磁界発生装置との距離が近くても、データ読取用の磁気ヘッドに磁界発生装置で発生する磁界の影響が及びにくくなる。したがって、磁界発生装置が発生させる磁界がデータ読取用の磁気ヘッドでの磁気データの読取に及ぼす影響を低減しつつ、カードの挿入方向におけるデータ読取用の磁気ヘッドと磁界発生装置との距離を縮めることが可能になり、その結果、カード挿入口が取り付けられるカードリーダを小型化することが可能になる。
【００１４】
本発明において、磁界発生装置は、たとえば、カード挿入部の前面側に取り付けられるスキミング用磁気ヘッドによる磁気ストライプに記録された磁気データの読取を妨害するための妨害磁界を発生させる。この場合には、磁界発生装置が発生させる妨害磁界によって、スキミング用磁気ヘッドによる磁気データの読取を阻止することが可能になる。
【００１５】
本発明において、磁界発生装置の一部は、カードの挿入方向において、切欠部の、カードの挿入方向における下流側端面よりも下流側に配置されていることが好ましい。また、本発明において、コアの中心軸は、カードの挿入方向において、切欠部の、カードの挿入方向における下流側端面と同じ位置、または、切欠部の下流側端面よりも下流側に配置されていることがより好ましい。カードの挿入方向において、コアの中心軸の位置とスキミング用磁気ヘッドの中心位置とが一致すると、磁界発生装置で妨害磁界を発生させても、この妨害磁界が、スキミング用磁気ヘッドに対して妨害磁界として作用しない。すなわち、カードの挿入方向において、コアの中心軸の位置と、スキミング用磁気ヘッドの中心位置とが一致すると、磁界発生装置で妨害磁界を発生させても、スキミング用磁気ヘッドで読み取られる磁気データにデータ読取妨害用のノイズがのらない。
【００１６】
磁界発生装置の一部が、カードの挿入方向において、切欠部の下流側端面よりも下流側に配置されていれば、スキミング用磁気ヘッドの中心位置とコアの中心軸の位置とがカードの挿入方向において一致するのを防止しやすくなる。したがって、この場合には、磁界発生装置で発生させる妨害磁界によって、スキミング用磁気ヘッドでの磁気データの読取をより高い確率で阻止することが可能になる。また、コアの中心軸が、カードの挿入方向において、切欠部の下流側端面と同じ位置、または、切欠部の下流側端面よりも下流側に配置されていれば、スキミング用磁気ヘッドの中心位置とコアの中心軸の位置とがカードの挿入方向において一致するのを防止することができる。したがって、この場合には、磁界発生装置で発生させる妨害磁界によって、スキミング用磁気ヘッドでの磁気データの読取を確実に阻止することが可能になる。
【００１７】
本発明において、磁界発生装置は、コイルに電流を供給するためのケーブルを備え、ケーブルは、切欠部の下流側端面の近傍で引き回されていることが好ましい。このように構成すると、カードの挿入方向において、コアの中心軸の位置とスキミング用磁気ヘッドの中心位置とを一致させようとして、たとえば、犯罪者がカードの挿入方向の下流側に向かって切欠部の下流側端面を削ると、ケーブルが断線する。したがって、たとえば、ケーブルの断線を検知することで、カードの挿入方向において、コアの中心軸の位置とスキミング用磁気ヘッドの中心位置とを一致させるための細工を犯罪者が行ったことを検知することが可能になる。
【００１８】
本発明のカード挿入部は、磁気ストライプに記録された磁気データを読み取る磁気ヘッドを備えるカードリーダに用いることができる。このカードリーダでは、磁界発生装置が発生させる磁界を弱めたり、データ読取用の磁気ヘッドでの磁気データの読取時に磁界の発生を停止させたりしなくても、磁界発生装置が発生させる磁界がデータ読取用の磁気ヘッドでの磁気データの読取に及ぼす影響を低減することが可能になる。
【発明の効果】
【００１９】
以上のように、本発明のカード挿入部およびカードリーダでは、スキミング用磁気ヘッドによる磁気データの読取を阻止するために磁界発生装置が発生させる磁界を弱めたり、データ読取用の磁気ヘッドでの磁気データの読取時に磁界の発生を停止させたりしなくても、磁界発生装置が発生させる磁界がデータ読取用の磁気ヘッドでの磁気データの読取に及ぼす影響を低減することが可能になる。
【図面の簡単な説明】
【００２０】
【図１】本発明の実施の形態にかかるカードリーダの斜視図である。
【図２】図１に示すカードリーダの前面側の概略断面図である。
【図３】図１に示すカードリーダの前面側の構成を説明するための概略平面図である。
【図４】図３に示す磁界発生装置の構成を説明するための図である。
【図５】図１に示すカードリーダの効果を説明するための図である。
【図６】本発明の他の実施の形態にかかる磁界発生装置の構成を説明するための図である。
【発明を実施するための形態】
【００２１】
以下、図面を参照しながら、本発明の実施の形態を説明する。
【００２２】
（カードリーダの概略構成）
図１は、本発明の実施の形態にかかるカードリーダ１の斜視図である。図２は、図１に示すカードリーダ１の前面側の概略断面図である。
【００２３】
本形態のカードリーダ１は、カード２に記録された磁気データの読取および／またはカード２への磁気データの記録を行うための装置であり、たとえば、ＡＴＭ等の所定の上位装置に搭載されて使用される。このカードリーダ１は、図１、図２に示すように、カード２が挿入される挿入口３が形成されるカード挿入部４と、カード２が搬送されるカード搬送路５が形成される本体部６とを備えている。本体部６の内部には、磁気データの読取および／または磁気データの記録を行う磁気ヘッド７と、カード２を搬送するための駆動ローラ８およびパッドローラ９とが配置されている。
【００２４】
本形態では、図１等に示すＸ方向でカード２が搬送される。具体的には、Ｘ１方向にカード２が挿入され、Ｘ２方向にカード２が排出される。すなわち、Ｘ１方向は、カード２の挿入方向であり、Ｘ２方向は、カード２の排出方向である。また、Ｘ１方向側は、カード２の挿入方向の下流側であり、Ｘ２方向側は、カード２の挿入方向の上流側である。さらに、Ｘ方向に略直交する図１等のＺ方向は、カード２の厚さ方向であり、Ｘ方向とＺ方向とに略直交する図１等のＹ方向は、カード２の幅方向（短手幅方向）である。なお、以下の説明では、Ｘ１方向側を「奥（後ろ）」側、Ｘ２方向側を「前」側、Ｙ１方向側を「右」側、Ｙ２方向側を「左」側、Ｚ１方向側を「上」側、Ｚ２方向側を「下」側とする。
【００２５】
カード２は、たとえば、厚さが０．７〜０．８ｍｍ程度の矩形状の塩化ビニール製のカードである。このカード２の裏面（下面）には、磁気データが記録される磁気ストライプ２ａ（図３参照）が形成されている。なお、カード２の表面にＩＣチップが固定されても良いし、通信用のアンテナがカード２に内蔵されても良い。また、カード２は、厚さが０．１８〜０．３６ｍｍ程度のＰＥＴ（ポリエチレンテレフタレート）カードであっても良いし、所定の厚さの紙カード等であっても良い。
【００２６】
カード挿入部４は、本体部６の前端面に取り付けられている。このカード挿入部４の詳細な構成については、後述する。
【００２７】
磁気ヘッド７は、そのギャップ部がカード搬送路５に下側から臨むように配置されている。また、磁気ヘッド７は、カード２の磁気ストライプ２ａに接触可能な位置に配置されている。磁気ヘッド７の上側には、対向ローラ１０が配置されており、磁気ヘッド７と上下方向で対向している。駆動ローラ８は、カード搬送路５に下側から臨むように配置されている。パッドローラ９は、駆動ローラ８の上側で駆動ローラ８に対向しており、駆動ローラ８に向かって付勢されている。
【００２８】
（カード挿入部の構成）
図３は、図１に示すカードリーダ１の前面側の構成を説明するための概略平面図である。図４は、図３に示す磁界発生装置１４の構成を説明するための図である。
【００２９】
カード挿入部４は、本体部６に固定される固定部４ａと、固定部４ａから前側に向かって突出する突出部４ｂとを備えている。突出部４ｂは、カード挿入部４の左右方向の全域には形成されていない。具体的には、突出部４ｂは、カード挿入部４の左端から右端側に向かって所定の範囲に形成されており、突出部４ｂの右側は、固定部４ａから前側へ突出する部分が存在しない切欠部４ｃとなっている。すなわち、左右方向において、突出部４ｂと切欠部４ｃとは隣り合っている。
【００３０】
突出部４ｂは、中空状に形成されている。また、突出部４ｂは、上下方向で挿入口３を挟むように配置される上側突出部４ｄと下側突出部４ｅとを備えている。挿入口３の下側に配置される下側突出部４ｅの内部には、磁界を発生させる磁界発生装置１４が配置されている。切欠部４ｃは、図３に示すように、左右方向において、磁気ヘッド７が配置される位置に形成されている。すなわち、切欠部４ｃは、カード２の磁気ストライプ２ａが通過する箇所に形成されている。なお、突出部４ｂには、挿入口３にカード２が挿入されたことを検知するためのカード検知器（図示省略）が配置されている。
【００３１】
磁界発生装置１４は、磁性材料で形成されるコア１５と、コア１５の中心軸ＣＬを中心に巻回される励磁用のコイル１６とを備えている。コア１５は、略直方体の棒状に形成されている。コイル１６は、コア１５の中心位置に巻回されている。コイル１６の両端部のそれぞれは、図示を省略する端子に接続されている。この端子の一方は、所定のケーブルを介して、図示を省略する電源に接続され、この端子の他方は、所定のケーブルを介して接地されている。本形態では、コイル１６の端部が接続される端子に接続されたケーブルは、切欠部４ｃの奥端面４ｆの奥側の固定部４ａ等の内部で引き回されている。本形態の奥端面４ｆは、切欠部４ｃの、カード２の挿入方向における下流側端面である。
【００３２】
図３に示すように、コア１５は、左右方向をその中心軸ＣＬの軸方向として配置されている。すなわち、コア１５は、その中心軸ＣＬが左右方向と平行になるように突出部４ｂの内部に配置されている。コア１５の一部は、前後方向において、切欠部４ｃの奥端面４ｆよりも奥側に配置されている。また、コア１５の中心軸ＣＬは、前後方向において、切欠部４ｃの奥端面４ｆよりも奥側に配置されている。具体的には、コア１５の中心軸ＣＬは、前後方向において、切欠部４ｃの奥端面４ｆよりもわずかに奥側に配置されている。
【００３３】
本形態の磁界発生装置１４は、カード挿入部４の前面側に取り付けられるスキミング用磁気ヘッド２０によるカード２の磁気データの読取を妨害するための妨害磁界を発生させる妨害磁界発生装置として機能する。そのため、磁界発生装置１４は、磁界発生装置１４が発生させる磁界を表わす磁力線ＭＬ（図４参照）がスキミング用磁気ヘッド２０の取付位置を通過するように配置されている。すなわち、磁界発生装置１４は、カード２の挿入時にカード２の磁気ストライプ２ａが通過する位置を磁力線ＭＬが通過するように配置されている。本形態では、スキミング用磁気ヘッド２０を取り付けやすい切欠部４ｃにスキミング用磁気ヘッド２０が取り付けられると想定されるため、磁界発生装置１４は、磁力線ＭＬが切欠部４ｃを通過するように配置されている。なお、図４では、便宜上、１本の磁力線ＭＬを図示しているが、実際には、多数本の磁力線ＭＬによって、磁界発生装置１４が発生させる磁界が表わされる。
【００３４】
磁界発生装置１４では、コイル１６が励磁されて、妨害用の磁界が発生する。図４に示すように、磁界発生装置１４が発生させる磁界を表わす磁力線ＭＬの、コア１５の一方の端面（中心軸ＣＬ方向の端面）の中心に入っていく方向、および、磁力線ＭＬの、コア１５の他方の端面の中心から出ていく方向は、コア１５の中心軸ＣＬの軸方向と略一致している。すなわち、本形態では、磁力線ＭＬのコア１５の端面の中心に入っていく方向、および、磁力線ＭＬのコア１５の端面の中心から出ていく方向は、左右方向と略平行になっている。
【００３５】
（カードリーダの概略動作）
以上のように構成されたカードリーダ１では、カード２が挿入されていない待機時には、図示を省略するシャッタ部材等によってカード搬送路５は閉鎖しており、カードリーダ１へのカード２の挿入ができない状態となっている。この状態で、カード挿入部４に配置されるカード検知器によって、挿入口３にカード２が挿入されたことが検知されると、カード搬送路５が開放されて、カードリーダ１の内部へカード２が取り込まれる。また、カード検知器によってカード２が挿入されたことが検知されると、磁界発生装置１４は、妨害用の磁界を発生させる。たとえば、磁界発生装置１４は、挿入口３から挿入され、カードリーダ１の内部に取り込まれたカード２が排出されるまで、妨害用の磁界を発生させる。あるいは、磁界発生装置１４は、挿入口３から挿入され、カードリーダ１の内部に取り込まれたカード２が排出されるまでの間であって、カード２の搬送が行われている間、妨害用の磁界を発生させる。
【００３６】
なお、駆動ローラ８およびパッドローラ９によって排出されたカード２の前端は、切欠部４ｃの奥端面４ｆよりも前側にあるが、突出部４ｂの前端面よりも奥側にある。すなわち、駆動ローラ８およびパッドローラ９によって排出されたカード２の前端側は、切欠部４ｃに露出している。カードリーダ１からカード２が排出されると、ユーザは、切欠部４ｃに露出したカード２の前端側を摘んで、カード２をカードリーダ１から引き抜く。突出部４ｂは、カードリーダ１からカード２を引き抜く際にカード２を摘むための切欠部４ｃを形成するために、設けられている。
【００３７】
（本形態の主な効果）
以上説明したように、本形態では、磁界発生装置１４は、カード２の挿入時にカード２の磁気ストライプ２ａが通過する位置（すなわち、スキミング用磁気ヘッド２０が取り付けられると想定される位置）を磁力線ＭＬが通過するように配置されている。そのため、カード挿入部４の前面側にスキミング用磁気ヘッド２０が取り付けられても、磁界発生装置１４が発生させる妨害用の磁界によって、スキミング用磁気ヘッド２０による磁気データの読取を阻止することが可能になる。
【００３８】
また、本形態では、コア１５は、その中心軸ＣＬが左右方向と平行になるように配置されており、磁力線ＭＬのコア１５の端面の中心に入っていく方向、および、磁力線ＭＬのコア１５の端面の中心から出ていく方向は、左右方向と平行になっている。そのため、磁界発生装置１４よりも奥側に配置される磁気ヘッド７に磁界発生装置１４が発生させる妨害用の磁界の影響が及びにくい。したがって、本形態では、磁界発生装置１４が発生させる磁界を弱めたり、磁気ヘッド７での磁気データの読取時に磁界の発生を停止させたりしなくても、磁界発生装置１４が発生させる磁界が、磁気ヘッド７での磁気データの読取に及ぼす影響を低減することが可能になる。
【００３９】
特に、本形態では、コア１５の中心軸ＣＬが左右方向と平行になっているため、前後方向における磁気ヘッド７と磁界発生装置１４との距離が近くても、磁界発生装置１４が発生させる妨害用の磁界の影響が磁気ヘッド７に及びにくくなる。したがって、本形態では、磁界発生装置１４が発生させる磁界が磁気ヘッド７の磁気データの読取に及ぼす影響を低減しつつ、前後方向における磁気ヘッド７と磁界発生装置１４との距離を縮めることが可能になり、その結果、カードリーダ１を小型化することが可能になる。
【００４０】
本形態では、切欠部４ｃは、カード２の挿入時に磁気ストライプ２ａが通過する箇所に形成されている。そのため、犯罪者は、切欠部４ｃにスキミング用磁気ヘッド２０を取り付けやすくなる。したがって、本形態では、スキミング用磁気ヘッド２０の取付位置を特定しやすくなり、その結果、スキミング用磁気ヘッド２０での磁気データの読取を阻止するための磁界をスキミング用磁気ヘッド２０に向けて発生させやすくなる。また、本形態では、駆動ローラ８およびパッドローラ９によって排出されたカード２の前端側は切欠部４ｃに露出しており、ユーザは、切欠部４ｃに露出したカード２の前端側を摘んでカード２をカードリーダ１から引き抜くため、切欠部４ｃにスキミング用磁気ヘッド２０に取り付けられたことをユーザが気づきやすくなる。
【００４１】
本形態では、切欠部４ｃに露出したカード２の前端側を摘んでカード２をカードリーダ１から引き抜くための切欠部４ｃを形成するために必要となる突出部４ｂの内部に磁界発生装置１４が配置されている。そのため、デッドスペースとなりやすい中空状の突出部４ｂの内部を利用して、磁界発生装置１４を配置することができる。したがって、本形態では、磁界発生装置１４を配置するためのスペースを別途、カード挿入部４に設ける必要がなくなり、カード挿入部４を小型化することが可能になる。
【００４２】
ここで、前後方向において、図５（Ｃ）、（Ｄ）に示すように、コア１５の中心軸ＣＬの位置とスキミング用磁気ヘッド２０の中心ＣＬ１の位置とが一致すると、磁界発生装置１４で妨害用の磁界を発生させても、この磁界が、スキミング用磁気ヘッド２０に対して妨害用の磁界として作用しない。すなわち、スキミング用磁気ヘッド２０がコア２１とコア２１に巻回されるコイル２２とを備えるとともに、コア２１が磁気ギャップ２０ａを介して前後方向で対向する第１コア部２１ａと第２コア部２１ｂとを備える場合、前後方向において、コア１５の中心軸ＣＬの位置とスキミング用磁気ヘッド２０の中心ＣＬ１とが一致すると、磁界発生装置１４が発生させる磁界の影響で第１コア部２１ａに発生する磁界を表わす磁力線ＭＬ１の向きと、磁界発生装置１４が発生させる磁界の影響で第２コア部２１ｂに発生する磁界を表わす磁力線ＭＬ２の向きとが反対になり、かつ、磁力線ＭＬ１の密度と磁力線ＭＬ２の密度とが等しくなる。そのため、磁界発生装置１４が発生させる磁界の影響で第１コア部２１ａに生じる磁界と第２コア部２１ｂに生じる磁界とのバランスが取れて、コイル２２に、磁界発生装置１４が発生させる磁界の影響による電流が流れず、スキミング用磁気ヘッド２０で読み取られる磁気データに妨害用のノイズがのらない。
【００４３】
本形態では、前後方向において、コア１５の中心軸ＣＬが切欠部４ｃの奥端面４ｆよりも奥側に配置されている。そのため、カード挿入部４の前面側に取り付けられるスキミング用磁気ヘッド２０の中心ＣＬ１の位置とコア１５の中心軸ＣＬの位置とが前後方向において一致することがない。したがって、図５（Ａ）、（Ｂ）に示すように、磁界発生装置１４が発生させる磁界の影響で第１コア部２１ａに発生する磁界を表わす磁力線ＭＬ１の密度と、磁界発生装置１４が発生させる磁界の影響で第２コア部２１ｂに発生する磁界を表わす磁力線ＭＬ２の密度とが異なる。したがって、磁界発生装置１４が発生させる磁界の影響で第１コア部２１ａに生じる磁界と第２コア部２１ｂに生じる磁界とのバランスが崩れ、コイル２２に、磁界発生装置１４が発生させる磁界の影響による電流が流れて、スキミング用磁気ヘッド２０で読み取られる磁気データに妨害用のノイズがのる。その結果、本形態では、磁界発生装置１４で発生させる妨害用の磁界によって、スキミング用磁気ヘッド２０での磁気データの読取を確実に阻止することが可能になる。
【００４４】
本形態では、磁界発生装置１４のコイル１６の端部が接続される端子に接続されたケーブルは、切欠部４ｃの奥端面４ｆの奥側の固定部４ａ等の内部で引き回されている。そのため、コア１５の中心軸ＣＬの位置とスキミング用磁気ヘッド２０の中心ＣＬ１の位置とを前後方向において一致させるようとして、たとえば、犯罪者が奥側に向かって奥端面４ｆを削ると、このケーブルが断線する。したがって、たとえば、このケーブルの断線を検知することで、コア１５の中心軸ＣＬの位置とスキミング用磁気ヘッド２０の中心ＣＬ１の位置とを前後方向において一致させるための細工を犯罪者が行ったことを検知することが可能になる。
【００４５】
（磁界発生装置の変形例）
図６は、本発明の他の実施の形態にかかる磁界発生装置３４の構成を説明するための図である。
【００４６】
上述した形態の磁界発生装置１４に代えて、図６に示す磁界発生装置３４が下側突出部４ｅの内部に配置されても良い。磁界発生装置３４は、磁性材料で形成されるコア３５と、コア３５の中心軸ＣＬを中心に巻回される一対の励磁用のコイル３６、３７および検出用のコイル３８と、コイル３６、３７の端部が接続される端子（図示省略）と、コイル３８の端部が接続される端子（図示省略）とを備えている。
【００４７】
コア３５は、図６の紙面垂直方向を厚さ方向とする薄板状に形成されている。このコア３５は、中心軸ＣＬの軸方向における略中央に配置される中央コア部３５ａと、中心軸ＣＬの軸方向において中央コア部３５ａの両端側のそれぞれに配置される一対の軸端コア部３５ｂと、中央コア部３５ａと軸端コア部３５ｂとの間に配置される鍔部３５ｃとによって構成されている。中央コア部３５ａの幅は、軸端コア部３５ｂの幅よりも広くなっている。また、鍔部３５ｃの幅は、中央コア部３５ａの幅よりも広くなっている。
【００４８】
コイル３８は、中央コア部３５ａに巻回されている。コイル３８の両端部のそれぞれは、端子に接続されている。この端子には、所定のケーブルの一端部が接続されており、ケーブルの他端部は、カードリーダ１の制御基板に接続されている。
【００４９】
コイル３６、３７は、一対の軸端コア部３５ｂのそれぞれに巻回されている。コイル３６、３７の一端部は、端子に接続されている。この端子には、所定のケーブルの一端部が接続されており、ケーブルの他端部は、カードリーダ１の制御基板に実装される可変抵抗３９を介して交流電源４０に接続されている。コイル３６、３７の他端部は、導線４１の一端部に接続されている。導線４１の他端部は、端子に接続されている。この端子には、所定のケーブルの一端部が接続されており、ケーブルの他端部は、接地されている。なお、この場合には、励磁用コイル３６、３７の端部が接続される端子に接続されたケーブルは、切欠部４ｃの奥端面４ｆの奥側の固定部４ａ等の内部で引き回されている。
【００５０】
上述した形態と同様に、コア３５は、左右方向をその中心軸ＣＬの軸方向として配置されている。また、コア３５の一部は、前後方向において、切欠部４ｃの奥端面４ｆよりも奥側に配置されている。さらに、コア３５の中心軸ＣＬは、前後方向において、切欠部４ｃの奥端面４ｆよりも奥側に配置されている。
【００５１】
磁界発生装置３４は、カード挿入部４の前面側に取り付けられるスキミング用磁気ヘッド２０によるカード２の磁気データの読取を妨害するための妨害磁界を発生させる妨害磁界発生装置としての機能と、コイル３６、３７が発生させる磁界の変化をコイル３８で検出して、カード挿入部４の前面側にスキミング用磁気ヘッド２０が取り付けられたことを検知する磁気センサとしての機能とを備えている。そのため、磁界発生装置３４は、コイル３６が発生させる磁界を表わす磁力線ＭＬ１１またはコイル３７が発生させる磁界を表わす磁力線ＭＬ１２がスキミング用磁気ヘッド２０の取付位置を通過するように配置されている。
【００５２】
磁界発生装置３４が妨害磁界発生装置として機能する場合には、コイル３６、３７が励磁されて、妨害用の磁界が発生する。たとえば、磁力線ＭＬ１１、ＭＬ１２が軸端コア部３５ｂの端面に入っていくように、妨害用の磁界が発生する。図６に示すように、磁力線ＭＬ１１、ＭＬ１２の軸端コア部３５ｂの端面の中心に入っていく方向は、コア３５の中心軸ＣＬの軸方向と略一致している。なお、磁界発生装置３４では、磁力線ＭＬ１１、ＭＬ１２が軸端コア部３５ｂの端面から出ていくように、妨害用の磁界が発生しても良い。
【００５３】
また、磁界発生装置３４が磁気センサとして機能する場合には、磁界発生装置３４の検知可能領域（磁力線ＭＬ１１、ＭＬ１２が通過する領域）にスキミング用磁気ヘッド２０がないときに、コイル３６が発生させる磁界を表わす磁力線ＭＬ１１の密度と、コイル３７が発生させる磁界を表わす磁力線ＭＬ１２の密度とが略同じになるように、かつ、磁力線ＭＬ１１の方向と磁力線ＭＬ１２の方向とが逆方向になるように、コイル３６、３７が励磁されている。すなわち、磁界発生装置３４の検知可能領域にスキミング用磁気ヘッド２０がないときに、コイル３６が発生させる磁界とコイル３７が発生させる磁界とのバランスが取れるように、可変抵抗３９が調整されており、磁界発生装置３４の検知可能領域にスキミング用磁気ヘッド２０がないときには、コイル３８の両端部の間に電圧が発生していない。
【００５４】
そのため、磁界発生装置３４の検知可能領域にスキミング用磁気ヘッド２０が設置されると、その影響で、コイル３６が発生させる磁界とコイル３７が発生させる磁界とのバランスが崩れ、コイル３８の両端部の間に電圧が発生する。このように、磁界発生装置３４は、コイル３８の両端部の間に発生する電圧を検出することで、スキミング用磁気ヘッド２０を検知する。なお、磁界発生装置３４が磁気センサとして機能する場合に、コイル３６、３７に供給される励磁電流は、磁界発生装置３４が妨害磁界発生装置として機能する場合に、コイル３６、３７に供給される励磁電流よりも小さくなっている。
【００５５】
このように磁界発生装置１４に代えて磁界発生装置３４が配置されている場合には、たとえば、カード２が挿入されていない待機時には、磁界発生装置３４は、磁気センサとして機能している。また、待機時には、シャッタ部材等によってカード搬送路５が閉鎖しており、カードリーダ１へのカード２の挿入ができない状態となっている。この状態で、磁界発生装置３４によって、スキミング用磁気ヘッド２０等の金属部材が検知されると、スキミングを防止するため、カード搬送路５が閉鎖された状態が維持され、カードリーダ１へのカード２の挿入ができない状態が維持される。
【００５６】
また、カード２が挿入されていない待機状態であって、かつ、磁界発生装置３４がスキミング用磁気ヘッド２０等の金属部材を検知していない状態で、カード挿入部４に配置されるカード検知器によって、挿入口３にカード２が挿入されたことが検知されると、磁界発生装置３４は、妨害磁界発生装置として機能する。すなわち、挿入口３にカード２が挿入されたことが検知されると、磁界発生装置３４は、妨害用の磁界を発生させる。たとえば、磁界発生装置３４は、挿入口３から挿入され、カードリーダ１の内部に取り込まれたカード２が排出されるまで、妨害用の磁界を発生させる。
【００５７】
このように磁界発生装置１４に代えて磁界発生装置３４が下側突出部４ｅの内部に配置されていると、磁界発生装置３４が妨害磁界発生装置として機能する場合には、磁界発生装置３４が発生させる妨害用の磁界によって、スキミング用磁気ヘッド２０による磁気データの読取を阻止することが可能になり、また、磁界発生装置３４が磁気センサとして機能する場合には、磁界発生装置３４によって、カード挿入部４の前面側にスキミング用磁気ヘッド２０が取り付けられたことを検知することが可能になる。また、磁界発生装置３４が発生させる磁界を弱めたり、磁気ヘッド７での磁気データの読取時に磁界の発生を停止させたりしなくても、磁界発生装置３４が発生させる磁界が磁気ヘッド７での磁気データの読取に及ぼす影響を低減することが可能になる等の上述した形態と同様の効果を得ることもできる。
【００５８】
なお、磁界発生装置３４は、磁気センサとしての機能のみを有していても良い。また、磁界発生装置３４がスキミング用磁気ヘッド２０等の金属部材を検知したときにのみ、磁界発生装置３４が妨害用の磁界を発生させても良い。また、磁界発生装置３４は、コアと、このコアに巻回される励磁および検出兼用のコイルとによって構成されても良い。
【００５９】
（他の実施の形態）
上述した形態および変形例は、本発明の好適な形態の一例ではあるが、これに限定されるものではなく本発明の要旨を変更しない範囲において種々変形実施が可能である。
【００６０】
上述した形態では、コア１５の中心軸ＣＬは、左右方向と平行になっている。この他にもたとえば、上下方向から見たときに、コア１５の中心軸ＣＬが左右方向と平行になっているのであれば、前後方向から見たときに、コア１５の中心軸ＣＬが左右方向に対して傾斜していても良い。この場合には、磁界発生装置１４は、下側突出部４ｅの内部に配置されても良いし、上側突出部４ｄの内部に配置されても良い。
【００６１】
また、上述した形態では、コア１５の中心軸ＣＬは、左右方向と平行になっているが、コア１５の中心軸ＣＬは、前後方向と平行にならないのであれば（すなわち、前後方向に対して傾斜しているのであれば）、上下方向から見たときに、左右方向に対して傾いていても良い。この場合であっても、磁界発生装置１４で発生する磁界の影響が磁気ヘッド７に及びにくくなる。したがって、磁界発生装置１４が発生させる磁界を弱めたり、磁気ヘッド７での磁気データの読取時に磁界の発生を停止させたりしなくても、磁界発生装置１４が発生させる磁界が磁気ヘッド７での磁気データの読取に及ぼす影響を低減することが可能になる。
【００６２】
上述した形態では、コア１５の中心軸ＣＬは、前後方向において、切欠部４ｃの奥端面４ｆよりも奥側に配置されている。この他にもたとえば、コア１５の中心軸ＣＬは、前後方向において、切欠部４ｃの奥端面４ｆと同じ位置に配置されても良い。また、コア１５の中心軸ＣＬがスキミング用磁気ヘッド２０の中心ＣＬ１よりも奥側に配置されるのであれば、あるいは、コア１５の中心軸ＣＬがスキミング用磁気ヘッド２０の中心ＣＬ１よりも前側に配置されるのであれば（すなわち、前後方向において、コア１５の中心軸ＣＬの位置とスキミング用磁気ヘッド２０の中心ＣＬ１の位置とがずれるのであれば）、コア１５の中心軸ＣＬは、切欠部４ｃの奥端面４ｆより前側に配置されても良い。また、上述した形態では、コア１５の一部は、前後方向において、切欠部４ｃの奥端面４ｆよりも奥側に配置されているが、コア１５の中心軸ＣＬがスキミング用磁気ヘッド２０の中心ＣＬ１よりも奥側に配置されるのであれば、あるいは、コア１５の中心軸ＣＬがスキミング用磁気ヘッド２０の中心ＣＬ１よりも前側に配置されるのであれば、前後方向において、コア１５の全体が切欠部４ｃの奥端面４ｆよりも前側に配置されても良い。
【００６３】
上述した形態では、突出部４ｂは、カード挿入部４の左端から右端側に向かって所定の範囲に形成されており、突出部４ｂの右側が、固定部４ａから前側へ突出する部分が存在しない切欠部４ｃとなっている。この他にもたとえば、突出部４ｂが、カード挿入部４の左端から右端側に向かって所定の範囲に形成される第１突出部と、カード挿入部４の右端から左端側に向かって所定の範囲に形成される第２突出部とによって構成されるとともに、第１突出部と第２突出部との間が、固定部４ａから前側へ突出する部分が存在しない切欠部４ｃとなっていても良い。このように、切欠部４ｃは、左右方向において、磁気ヘッド７が配置される箇所に少なくとも形成されていれば良い。
【００６４】
上述した形態では、カードリーダ１は、駆動ローラ８およびパッドローラ９を備えるカード搬送式のカードリーダであるが、本発明の構成が適用されるカードリーダは、ユーザが手動でカード２を移動させながら、磁気データの読取や記録を行う手動式のカードリーダであっても良い。たとえば、本発明の構成が適用されるカードリーダは、カードリーダ内へカード２を差し込む際、あるいは、カードリーダからカード２を引き抜く際に磁気データの読取や記録を行ういわゆるディップ式のカードリーダであっても良い。
【符号の説明】
【００６５】
１  カードリーダ
２  カード
２ａ  磁気ストライプ
４  カード挿入部
４ｂ  突出部
４ｃ  切欠部
４ｆ  奥端面（下流側端面）
７  磁気ヘッド
１４、３４  磁界発生装置
１５、３５  コア
１６、３６、３７  コイル
２０  スキミング用磁気ヘッド
ＣＬ  中心軸
ＭＬ  磁力線
Ｘ１  カードの挿入方向
Ｙ  カードの幅方向
Ｚ  カードの厚さ方向
【図１】
0005759807.tif 000002
【図２】
0005759807.tif 000003
【図３】
0005759807.tif 000004
【図４】
0005759807.tif 000005
【図５】
0005759807.tif 000006
【図６】
0005759807.tif 000007